(57)【特許請求の範囲】
【請求項１】
主体と、該主体に対して編組状に差し込まれる３枚の補助折り板とからなり、
主体は、
ア．縦長方形のシート状で
イ．該主体の縦長方向に該主体を７等分する水平な横折り線を形成して葛折り状に折り    曲げ可能な第１〜第７の折り板を形成し、
ウ．しかも第１・第７の折り板を構成する上・下端の両横折り線間に、主体の幅方向を    ３分する２本の縦長方向の切り込み部を上記横折り線に対して垂直方向に形成するこ とにより、該切り込み部によって区画された幅方向の中央に中板を、また該中板の左 右両側に側板を、それぞれ主体の縦長方向に連続させて形成してなり、
エ．第１・第７の折り板を横折り線により共に同一面対向方向に折り曲げ、
オ．さらに中板を中心として、その両側の側板を、第１・第７の折り板部分を残して、    この部分を支軸として上記第１・第７の折り板部分を巻き込む方向に引っ繰り返すこ    とにより、第１・第７折り板に隣接する第２・第６両折り板の、上記中板に対応する    左右中央部分を、上記第１・第７折り板の上面に、また上記側板に対応する左右の側    面部分を、上記第１・第７折り板の下面に、それぞれ重ね折りした
上記ア．〜オ．の構成からなり、
上記主体における第３〜第５の各折り板に対してそれぞれ水平に、前記縦長方向に形成された切り込み部により、３枚の補助折り板を、中板およびその両側の側板に対する第１・第７折り板の重ね側と交互に反対側に位置させるべく主体の縦長方向にそれぞれ交互に編組状となるように重ね差し込んでなり、しかも補助折り板が編組状に差し込まれている状態で第１・第２の折り板を支点に吊下げた場合に、表裏に特定月のカレンダーが表示されるとともに、第１・第２折り板を、第１折り板の折り側に折って第１折り板を第３折り板面に重ねた状態で第１・第２・第３折り板を支点に吊下げた場合に、第４以降の折り板が各横折り線により順次下方に反転して表裏に上記特定月とは別の月のカレンダーが表示されるようにしたことを特徴とするカレンダー。
【請求項２】
中板を中心に水平方向に編組状に差し込まれる３枚の各補助折り板は、主体と略同一幅に構成されているところの請求項１に記載のカレンダー。
【発明の詳細な説明】
【０００１】
【産業上の利用分野】
本発明は、からくり的な要素を付加して面白みを増した特異なカレンダーに関し、従来にない構成により実用性と趣味感、そして環境対策を実現することができるようにしたものである。
【０００２】
【従来の技術】
カレンダーは一般的に、１枚の紙葉の表面に１年間分のカレンダー表示がなされ、あるいは該紙葉の表面と裏面とにわけてそれぞれ６ケ月分ずつのカレンダー表示をしたもの、さらには１カ月または数カ月分を各一枚の紙面に印刷し、これを束ねてその上方部を金具で綴じた状態にて吊り下げられ、該当月の経過とともに、表面紙を破りとって次月の表示紙面を露出させて用いるようにしたもの、あるいは破り取らずに順次めくりあげて次月面を露出させるようにしたもの、さらには各月の表示をカード状にし、これを透明な卓上型ケースに入れて順次差し替えるようにしたもの等が知られている。
【０００３】
【発明が解決しようとする課題】
しかしながら、上記した種々のカレンダーは、そのいずれもが面白みに欠け、その多くはカレンダー本来の機能というよりも、専ら絵柄の良否によってのみ採否が決定されているのが現状である。  また束ねた紙葉の上端部を綴じる手段としても、金属板による巻締めが多いために、その使用済みのカレンダーを廃棄する際に、巻締め金具をいちいち外して分別処理する必要があり、特に婦女子にとっては困難な労力を強いられることになる。
【０００４】
【課題を解決するための手段】
そこで本発明にあっては、上記した従来技術における種々の課題を解決し、からくり的な要素を付加して面白みを増し、カレンダーとしての需要を喚起させるようにし、また使用済になった際の廃棄処分を簡便化できるようにしたものである。
【０００５】
すなわち具体的には、本発明は主体と、該主体に対して編組状に差し込まれる３枚の補助折り板とからなり、
主体は、
ア．縦長方形のシート状で
イ．該主体の縦長方向に該主体を７等分する水平な横折り線を形成して葛折り状に折り    曲げ可能な第１〜第７の折り板を形成し、
ウ．しかも第１・第７の折り板を構成する上・下端の両横折り線間に、主体の幅方向を    ３分する２本の縦長方向の切り込み部を上記横折り線に対して垂直方向に形成するこ とにより、該切り込み部によって区画された幅方向の中央に中板を、また該中板の左 右両側に側板を、それぞれ主体の縦長方向に連続させて形成してなり、
エ．第１・第７の折り板を横折り線により共に同一面対向方向に折り曲げ、
オ．さらに中板を中心として、その両側の側板を、第１・第７の折り板部分を残して、    この部分を支軸として上記第１・第７の折り板部分を巻き込む方向に引っ繰り返すこ    とにより、第１・第７折り板に隣接する第２・第６両折り板の、上記中板に対応する    左右中央部分を、上記第１・第７折り板の上面に、また上記側板に対応する左右の側    面部分を、上記第１・第７折り板の下面に、それぞれ重ね折りした
上記ア．〜オ．の構成からなり、
上記主体における第３〜第５の各折り板に対してそれぞれ水平に、前記縦長方向に形成された切り込み部により、３枚の補助折り板を、中板およびその両側の側板に対する第１・第７折り板の重ね側と交互に反対側に位置させるべく主体の縦長方向にそれぞれ交互に編組状となるように重ね差し込んでなり、しかも補助折り板が編組状に差し込まれている状態で第１・第２の折り板を支点に吊下げた場合に、表裏に特定月のカレンダーが表示されるとともに、第１・第２折り板を、第１折り板の折り側に折って第１折り板を第３折り板面に重ねた状態で第１・第２・第３折り板を支点に吊下げた場合に、第４以降の折り板が各横折り線により順次下方に反転して表裏に上記特定月とは別の月のカレンダーが表示されるようにしたことを特徴とするカレンダーに関する。
【０００６】
【０００７】
また本発明は、上記の中板を中心に水平方向に編組状に差し込まれる３枚の各補助折り板が、主体の折り板と略同一面積に構成されているところのカレンダーにも関する。
【０００８】
【作用】
主体における折り線間に形成された第３〜第５の折り板に添わせる部分に位置して、３枚の補助折り板を中板の表裏に縦方向交互に編組状に差し込み、しかも該中板よりはみ出した各左右両側の部分を、隣接する折り板における、上記中板とは反対の側面に添わせて差し込んだことにより、前記折り板の上端部を支点に吊り下げると、各折り線が引き伸ばされて表側のＡ面と背面側のＢ面の各面にあらわされたカレンダー表示が露出される。
【０００９】
つぎに主体における上端をＢ面（背面）側に折り返し、しかも該折り返し端部を摘まんで（補助板部分は解放する）吊り下げると、該折り返し端部に続く中板が解放され、折り線部分から次の折り板片の自重により下方に反転し、該部分が反転し終わるとさらに次の折り線に続く折り板片が解放されて、その次の折り線部分から自重により反転し、以下同様の作用によりこれに続く折り板片が反転して前記したＡ・Ｂに露出していたカレンダー表示が裏返しとなって、新たに上記ＡＢ面には表示されていない部分のカレンダー表示がＣ面およびその反対側のＤ面に露呈される。
【００１０】
【実施例】
以下において本発明の具体的な内容を図示した実施例をもとに説明すると、１は主体、１１．１２．１３は該主体１の切り込み部に差し込まれる３枚の補助折り板を示す。  主体１は一般的には紙又は比較的薄手のプラスチックシート等を用い、図５にあらわしたように、縦長方形のシート状で該主体１の縦長方向に該主体を７等分する一定間隔毎に施した水平な横折り線ａ〜ｆを介して葛折状に折り曲げ可能とした第１〜第７の折り板２〜８と、該第１・第７の折り板２および８を構成する上・下端の両横折り線ａとｆ間に、主体の幅方向を３分する２本の縦長方向の切り込み部９および１０を上記横折り線ａ・ｆに対して垂直方向に形成することにより、該切り込み部９および１０によって区画された幅方向の中央に中板１ａを、また該中板１ａの左右両側に側板１ｂおよび１ｃを、それぞれ主体１の縦長方向に連続させて形成してなる。
【００１１】
主体１の上下の折り板２および８、すなわち第１・第７の折り板２・８を横折り線ａ．ｆにより共に同一面対向方向に折り曲げ、さらに中板１ａを中心として、その両側の側板１ｂ・１ｃを、第１・第７の折り板２および８部分を残して、この部分を支軸として上記第１・第７の折り板２および８の部分を巻き込む方向に引っ繰り返す（図５では左側の折り板１ｂのみを引っ繰り返した状態をあらわしている）ことにより、第１・第７折り板２・８に隣接する第２・第６両折り板３ａ・７ａの、上記中板１ａに対応する左右中央部分３ｂ・７ｂの部分を、上記第１・第７の折り板２・８の上面に、また上記側板１ｂ・１ｃに対応する左右の側面部分３ａ・３ｃおよび７ａ・７ｃを、上記第１・第７折り板２・８の下面に、それぞれ重ね折りする（図６参照）。
【００１２】
この状態にある主体１に対し、図７にあらわしたように、その右側または左側から、前記縦長方向に形成した切り込み部９・１０を介して３枚の補助折り板１１．１２．１３が、それぞれ水平方向に相互に編み組み状に差し込まれる。  すなわち上記主体１における第３〜第５の各折り板４・５・６に対してそれぞれの各切り込み部９および１０に、３枚の補助折り板１１．１２．１３を、中板１ａおよびその両側の側板１ｂ・１ｃに対する第１・第７折り板２・８の重ね側と交互に反対側に位置するべく主体１の縦長方向にそれぞれ交互に編組状となるように重ね差し込んで構成される。
【００１３】
結局のところ、横折り線ｂ．ｃ間の折り板４ａ．４ｂ．４ｃに添わせて水平方向から補助折り板１１を、その中間部分が中板１ａにおける折り板４ｂ表面を隠蔽する側に位置し、しかもその左右両端部が側板１ｂ．１ｃにおける折り板４ａ．４ｃの裏側に位置するように差し込む。  さらに折り線ｃ．ｄ間の折り板５ａ．５ｂ．５ｃに添わせて水平方向から補助折り板１２を、その中間部分が中板１ａにおける折り板５ｂの裏側に位置し、しかもその左右両端部が側板１ｂ．１ｃにおける折り板５ａ．５ｃの表面を隠蔽する側に位置するように差し込む。
【００１４】
さらに横折り線ｄ．ｅ間の折り板６ａ．６ｂ．６ｃに添わせて水平方向から補助折り板１３を、その中間部分が中板１ａにおける折り板６ｂ表面を隠蔽する側に位置し、しかもその左右両端部が側板１ｂ．１ｃにおける折り板６ａ．６ｃの裏側に位置するように差し込む。  これによって縦方向の側板１ｂ．１ｃ、および中板１ａと、横方向の補助折り板１１．１２．１３とが上記した中板１ａを介して編組状に構成されて、主体１は３枚の補助折り板１１．１２．１３とともに第４以降の折り板５〜８が各横折り線ａ〜ｆ部分により順次下方に向けて反転自在に構成される。
【００１５】
なお上記のように構成された折り板３ｂには、吊り下げ用の紐１５を挿通させることができる。  上記した各折り板２〜８および補助折り板１１〜１３によって構成されたものの、露出側表裏のＡ面（図１参照）およびその背面側に位置するＢ面（図２参照）に、あらかじめそれぞれカレンダー表示１４の一部分を印刷表示するとともに、該Ａ面．Ｂ面を反転させて新たに露出させたＣ面およびその背面側に位置するＤ面とには、上記ＡＢ両面に表示されていないカレンダー表示１４の他部分を印刷表示してなり、補助折り板１１〜１３が編組状に差し込まれている状態で第１・第２の折り板を支点に吊下げた場合に、表裏に特定月のカレンダーが表示されるとともに、第１・第２の折り板を、第１折り板の折り側に折って第１折り板を第３折り板面に重ねた状態で第１・第２・第３折り板を支点に吊下げた場合に、第４以降の折り板が各横折り線により順次下方に反転して表裏に上記特定月とは別の月のカレンダーが表示されるように構成される。
【００１６】
上記した構成により、まず図１の例では、露出したＡ面に１月〜３月のカレンダー表示１４があらわされている。  そしてそのままの状態において、その高さ方向の軸芯により１８０度回転させて背面側の露出面であるＢ面をあらわしたのが図２であり、Ｂ面には７月〜９月のカレンダー表示１４がなされている。
【００１７】
さらに上記したＡ面（図１）の状態において、その上端部の折り板２および３を手前側であるＡ面側に折り返し、横折り線ｂにより重ね合わされているところの、折り板２を介在させた折り板３ａ．３ｃと折り板４ａ．４ｃの部分を摘まんで吊り下げると、中板１ａにおける横折り線ｂにより重ね合わされていたところの補助折り板１１を中間に挟んだ折り板２ｂと４ｂとが解放されて、自重により横折り線ｃを支点に下方に向けて反転する。
【００１８】
これが完全に反転し終わると、中板１ａにおける横折り線ｃにより重ね合わされていたところの補助折り板１２を中間に挟んだ折り板４ｂと５ｂとが解放されて、自重により中板１ａの横折り線ｄを支点に下方に向けて反転する。  さらにこれが完全に反転し終わると、中板１ａにおける横折り線ｄにより重ね合わされていたところの補助折り板１３を中間に挟んだ折り板５ｂと６ｂとが解放されて、自重により横折り線ｅを支点に下方に向けて反転する。
【００１９】
さらにこれが完全に反転し終わると、中板１ａにおける横折り線ｅにより重ね合わされていたところの補助折り板１３を中間に挟んだ折り板６ｂと７ｂとが解放されて、下端部の折り板７および８が自重により横折り線ｆを支点に下方に向けて反転して垂れ下がり、これにより各部が反転した面、すなわち図３にあらわしたところの４月〜６月のカレンダー表示１４をあらわしたＣ面と、その背面側について図４にあらわしたところの、１０月〜１２月のカレンダー表示１４をあらわしたＤ面が露呈される。
【００２０】
【発明の効果】
本発明は上記した通り、主体と、該主体に対して編組状に差し込まれる３枚の補助折り板とからなり、
主体は、
ア．縦長方形のシート状で
イ．該主体の縦長方向に該主体を７等分する水平な横折り線を形成して葛折り状に折り    曲げ可能な第１〜第７の折り板を形成し、
ウ．しかも第１・第７の折り板を構成する上・下端の両横折り線間に、主体の幅方向を    ３分する２本の縦長方向の切り込み部を上記横折り線に対して垂直方向に形成するこ とにより、該切り込み部によって区画された幅方向の中央に中板を、また該中板の左 右両側に側板を、それぞれ主体の縦長方向に連続させて形成してなり、
エ．第１・第７の折り板を横折り線により共に同一面対向方向に折り曲げ、
オ．さらに中板を中心として、その両側の側板を、第１・第７の折り板部分を残して、    この部分を支軸として上記第１・第７の折り板部分を巻き込む方向に引っ繰り返すこ    とにより、第１・第７折り板に隣接する第２・第６両折り板の、上記中板に対応する    左右中央部分を、上記第１・第７折り板の上面に、また上記側板に対応する左右の側    面部分を、上記第１・第７折り板の下面に、それぞれ重ね折りした
上記ア．〜オ．の構成からなり、
上記主体における第３〜第５の各折り板に対してそれぞれ水平に、前記縦長方向に形成された切り込み部により、３枚の補助折り板を、中板およびその両側の側板に対する第１・第７折り板の重ね側と交互に反対側に位置するべく主体の縦長方向にそれぞれ交互に編組状となるように重ね差し込んでなり、しかも補助折り板が編組状に差し込まれている状態で第１・第２の折り板を支点に吊下げた場合に、表裏に特定月のカレンダーが表示されるとともに、第１・第２折り板を、第１折り板の折り側に折って第１折り板を第３折り板面に重ねた状態で第１・第２・第３折り板を支点に吊下げた場合に、第４以降の折り板が各横折り線により順次下方に反転して表裏に上記特定月とは別の月のカレンダーが表示されるようにしたものである。
【００２１】
したがって上記した特異な構成により、従来の一般的なカレンダーに比して、からくり的な要素が付加されて面白みが著しく増大し、カレンダーとしての需要を喚起させるところが大きい。  特に上端部の折り板を手前側に折り返して吊り下げるという簡単な操作により別の表面のカレンダー表示を顕現させることができるので取り扱い性に著しく優れる。  また表裏両面にそれぞれ半年分のカレンダー表示をあらわしたものに比べ、その表示露出面が半分で済むために看者に対し、煩わしさを覚えさせるようなことが著しく減少する。
【００２２】
また本発明における主体について、材料板を縦方向に七等分して折り線を形成し、各折り線毎に折り曲げ自在に構成した場合においては上端、および下端のそれぞれの部分にコマーシャル等の、カレンダー表示以外の表示をおこなうことができ、紙面を有効利用することができる。
【００２３】
さらに本発明において用いられるところの、中板を中心に水平方向に編組状に差し込まれる補助折り板について、これを主体と略同一幅にするようにした場合においては主体と補助折り板の両方の露出面に、それぞれカレンダー表示のみならず、その他多彩な表示をもおこなうことができ、しかも反転させた場合においてもバランスが崩れることがなく、また意外性のある全く異なる表示に変化させることも可能であるからおもしろみが倍増する。  また本発明のカレンダーには従来のような吊り下げ用の金具が必要ではないために、使用済みカレンダーの処理に際しても巻締め金具の除去作業のような困難な作業や、無駄な工程を省略することができ、しかも環境問題に対しても十分に対応することができる。
【図面の簡単な説明】
【図１】  本発明の一実施例をあらわしたカレンダーの表面図（Ａ面）。
【図２】  Ａ面の裏側をあらわした背面図（Ｂ面）。
【図３】  Ａ面の状態において、上端を吊り下げて反転させた状態のカレンダーの表面図（Ｃ面）。
【図４】  反転後のＣ面の裏をあらわしたカレンダーの背面図（Ｄ面）。
【図５】    本発明のカレンダーを製作する過程をあらわした主体の斜視図。
【図６】  本発明のカレンダーを製作する過程をあらわした主体の斜視図。
【図７】  本発明のカレンダーを製作する過程において、主体と補助折り板とを編組状に組み合わせる状態をあらわした平面図。
【図８】  本発明のカレンダー表面をＡ面（図１）からＣ面（図３）に反転する過程をあらわした側面概略図。
【符号の説明】
１        主体
１ａ      中板
１ｂ      側板
１ｃ      側板
２        折り板
３        折り板
４        折り板
５        折り板
６        折り板
７        折り板
８        折り板
９        切り込み部
１０      切り込み部
１１      補助折り板
１２      補助折り板
１３      補助折り板
１４      カレンダー表示
１５      吊り下げ紐
【図１】
0003765016.tif 000002
【図２】
0003765016.tif 000003
【図３】
0003765016.tif 000004
【図４】
0003765016.tif 000005
【図５】
0003765016.tif 000006
【図６】
0003765016.tif 000007
【図７】
0003765016.tif 000008
【図８】
0003765016.tif 000009